(57)【要約】      （修正有）【課題】帽子のつば近傍にまで刺繍を施すことを可能とする帽子用刺繍機の布押さえを提供する。【解決手段】縫い針の動作に連動して刺繍対象である帽子を押えるために上下に往復動する帽子用刺繍機の布押えにおいて、上下に延びる細長い薄板状のベース部材と、ベース部材の下端において、ベース部材に対して略直角方向に延設される薄板状の当接部と、当接部の延設される方向に対して直行する方向の側面から下方に伸びる細長い薄板状の布押さえ体とにより構成されている。布押さえ体は、ベース部材下端からベース部材と連続する形状で下方に延設して構成されている。また、布押さえ体は、当接部の延設される方向の側面から下方に延設され、次いで当接部の延設される逆方向にベース部材方向に向かって屈曲され、更に下方に延設して構成されている。【選択図】図５
0003183740.tif 000002
【実用新案登録請求の範囲】
【請求項１】
縫い針の動作に連動して刺繍対象である帽子を押えるために上下に往復動する、帽子用刺繍機の布押えであって、
上下に延びる細長い薄板状のベース部材（１０１）と、ベース部材（１０１）の下端において、ベース部材（１０１）に対して略直角方向に延設される薄板状の当接部（１０２）と、当接部（１０２）の延設される方向に対して直行する方向の側面から下方に伸びる細長い薄板状の布押さえ体（１０３）と、により成る帽子用刺繍機の布押さえ（１００）。
【請求項２】
布押さえ体（２０３）が、ベース部材（２０１）下端からベース部材（２０１）と連続する形状で下方に延設される請求項１に記載の帽子用刺繍機の布押さえ（２００）。
【請求項３】
布押さえ体（３０３）が、当接部（３０２）の延設される方向の側面から下方に延設され、次いで当接部（３０２）の延設される逆方向にベース部材（３０１）方向に向かって屈曲され、更に下方に延設される請求項1に記載の帽子用刺繍機の布押さえ（３００）。
【考案の詳細な説明】
【技術分野】
【０００１】
本考案は、縫製の完成された帽子（キャップやハット）に刺繍を施すための刺繍機に関し、より詳しくは、縫い針の動作に連動して刺繍対象である帽子を押えるために上下に往復動する、帽子用刺繍機の布押さえに関する。
【背景技術】
【０００２】
従来、縫製の完成された帽子の、円弧状に湾曲した形状を呈する前面に、刺繍を施す多頭式刺繍機は、複数の刺繍ミシンと、これら刺繍ミシンのシリンダベッドと直交するＸ方向（左右方向）に回転駆動されると共に、Ｙ方向（前後方向）に直線的に移動駆動される帽子枠とを有する。具体的には、図１におけるスライドアングル５４がＸ方向に移動することで回転駆動体５５がＹ方向の軸線回りに円弧の周方向へ回転し、他方で図示されない移動体がＹ方向に前後往復動する。かかる動作に伴い帽子枠も同様の動作を行い、つまりは、帽子枠に装着された刺繍対象である帽子が、ミシンヘッド５０の下方において、Ｘ方向に回転すると共にＹ方向に直線的に移動し、刺繍が施されるものである。
【０００３】
図１に示すように刺繍機のミシンヘッド５０と対応する位置には、刺繍機側から突出したシリンダ形状のシリンダベッド５１が位置している。シリンダベッド５１の上面には針板５２が設けられており、この針板５２の下方には図示されないがシリンダが内蔵されている
図２に示すように、刺繍動作時には、ミシンヘッド５０を構成する縫い針５３と布押さえ４０が共に昇降駆動され、これと同期してシリンダベッド５１に内蔵されるシリンダが回転駆動される。そして縫い針５３は、その下降動作の度に前記針板５２の針孔５２ａに挿通され、この縫い針５３とシリンダとの協同作用によって刺繍対象たる帽子に上糸と下糸との絡みによるステッチが形成されるものである。
【０００４】
図４は、ミシンヘッド５０の側面図（一部断面図）である。本実施形態のミシンヘッド５０は、工業用の刺繍ミシンなどに用いられる多針型のミシンヘッドである。このミシンヘッド５０は、ミシンフレーム５６に固定されたアーム５７と、アーム５７に対して横方向のスライド移動が可能な状態で支持された針棒ケース５８とを備えて構成されている。
【０００５】
アーム５７の内部にはミシン主軸５９が横方向に貫通して設けてある。ミシン主軸５９は、図示しないミシン駆動モータによって回転駆動されるようになっている。
【０００６】
針棒ケース５８には、複数本の針棒６０が上下動可能に設けてあり、各針棒６０の下端には、針抱き６１を介して縫針５３がそれぞれ固定してある。針棒６０の略中間部には針棒抱き６２が固定してあり、針棒抱き６２の背面側には係合ピン６２ａが形成されている。
【０００７】
一方、アーム５７にはミシン主軸５９の回転によって上下動する針棒駆動部材６３が設けてある。針棒駆動部材６３には、選択された針棒６０の係合ピン６２ａと係合する係合凹部６３ａが形成してある。任意の針棒６０を選択する位置に針棒ケース５８をスライド移動させることで、該針棒６０の係合ピン６２ａが針棒駆動部材６３の係合凹部６３ａと係合する。これにより、選択された針棒６０が針棒駆動部材６３によって上下動するようになる。
【０００８】
針棒６０の外周には、布押さえ抱き６４が針棒６０に対して相対的に上下動可能に設けてあり、布押さえ抱き６４の背面側には係合ピン６４ａが形成されている。布押さえ抱き６４の前面には、布押さえ４０が固定してある。布押さえ４０は、布押さえ抱き６４から下方に延びる細長い板状に形成されており、上下方向の略中間部が折り曲げられて水平面状の当接部４０ａになっている。
【０００９】
針棒６０の外周における針棒抱き６２と布押さえ抱き６４との間には、布押さえ４０を下方へ付勢するコイルバネ７２が設けてある。コイルバネ７２の付勢力によって、布押さえ４０の当接部４０ａが針抱き６１にクッション７３を介して押し当てられた状態に規制されている。このように当接部４０ａが針抱き６１に押し当てられた状態で、布押さえ４０と針棒６０が一体に上下に駆動されるようになっている。
【００１０】
アーム５７には、ミシン主軸５９の回転によって上下動する支承部材６５が設けてある。支承部材６５は、針棒６０と共に上下動する布押さえ抱き６４の係合ピン６４ａを支承するようになっている。
【００１１】
針棒６０の上死点は、針棒抱き６２の上方に固定したストッパ６６がクッション６７を介して横フレーム５８ａの下面で受け止められる位置である。針棒６０の外周における針棒６０の上端と横フレーム５８ａの上面との間には、針棒６０を上方に付勢する針棒保持バネ６８が設けてある。針棒６０は、針棒駆動部材６３にて駆動されていない状態で、針棒保持バネ６８の付勢力によって上死点位置に保持されるようになっている。
【００１２】
針棒ケース５８に支持された天秤軸６９には、各針棒６０に対応する各天秤７０がそれぞれ揺動可能に支持してある。アーム５７には、ミシン主軸５９の回転によって揺動される天秤駆動レバー７１が設けてあり、天秤駆動レバー７１は、選択された針棒６０に対応する天秤７０と係合するようになっている。これにより、天秤駆動レバー７１の揺動によって選択された針棒６０に対応する天秤７０が揺動することとなる。
【００１３】
布押さえ４０について詳細に説明する。図１１は、布押さえ４０を示す斜視図である。布押さえ４０は、布押さえ抱き６４に固定されるベース部材（上部構造体）４１と、ベース部材４１の下端に連結された布押さえ体（下部構造体）４２とで構成されている。ベース部材４１は、上下に延びる細長い薄板状に形成されており、その上端部には、該ベース部材４１を布押さえ抱き６４に固定するためのネジを挿通する貫通孔からなる固定部４１ａが形成されている。固定部４１ａは、上下に延びる細長い長穴として形成されている。これにより、布押さえ抱き６４に対する布押さえ４０の固定位置を上下に調節できるようになっている。また、ベース部材４１の下端部に設けた当接部４０ａには、針棒６０を挿通させる貫通孔からなる挿通部４０ｂが形成されている。
【００１４】
布押さえ体４２は、上下方向に延びる細長い薄板状に形成されている。布押さえ体４２の下端部は略直角に屈曲しており、水平面状に形成されている。この水平面状に屈曲された部位には、その中央に縫針５３を通すための針通し孔４３が設けられている。
【００１５】
上記のように構成される多頭式刺繍機に関する先行技術文献として、帽子の移送装置に関する特許文献１、帽子枠の取付方法に関する特許文献２などがある。
【先行技術文献】
【特許文献】
【００１６】
【特許文献１】特公平１-５３３８４号公報
【特許文献２】特開平６−３１３２５９号公報
【考案の概要】
【考案が解決しようとする課題】
【００１７】
図１で示すように前記回転駆動体５５に、略円筒形状の帽子枠３０が取外し可能に装着されるものである。またこの帽子枠３０外周のセット面３１には被刺繍物である帽子１０が保持リング３２によってセットされている。図３及び図１に前記帽子枠３０に対する帽子１０のセット前の状態及び回転駆動体５５に対する帽子枠３０の装着前の状態がそれぞれ斜視図で示されている。これらの図面で明らかなように、帽子枠３０のセット面３１に帽子１０を被せ付けた後、この帽子１０の外側に前記保持リング３２を位置させてそのフック部３２ａをロックすることにより、帽子枠３０のセット面３１に帽子１０が締付けられる。そしてこのように帽子１０がセットされた帽子枠３０を、前記回転駆動体５５に装着し、かつ図示外のロック部材でロックする。
【００１８】
かようにして、刺繍対象たる帽子１０が刺繍機にセットされた状態を示すのが図２である。係る状態のもと、先述のように縫い針５３と布押さえ４０が共に昇降駆動され、帽子前面１１に刺繍が施されるものである。
【００１９】
縫い針５３と布押さえ４０が上記のように降下した際、図２に示すように保持リング３２と布押さえ４０が当接しないところまで、布押さえ４０の位置を帽子の天井１２側に持ってくる必要がある。すると縫い針５３の位置も天井１２側に移動させざるを得ず、帽子のつば１３近傍には刺繍を施すことができないことになる。具体的には、図２におけるＡの幅、概ね１５ｍｍ程度に該当する部分には刺繍ができないことになる。
【００２０】
しかるに、装飾性の観点から帽子前面１１に広範な刺繍をすることが要望される。そこで本考案は、帽子のつば近傍にまで刺繍を施すことを可能とする帽子用刺繍機の布押さえを提供することを目的とする。
【課題を解決するための手段】
【００２１】
上記の目的を達成する本考案の構成は次の通りである。
【００２２】
（１）請求項１に記載の考案は、縫い針の動作に連動して刺繍対象である帽子を押えるために上下に往復動する帽子用刺繍機の布押えにおいて、上下に延びる細長い薄板状のベース部材と、ベース部材の下端において、ベース部材に対して略直角方向に延設される薄板状の当接部と、当接部の延設される方向に対して直行する方向の側面から下方に伸びる細長い薄板状の布押さえ体とにより構成した。
【００２３】
（２）請求項２に記載の考案は、請求項１に記載の帽子用刺繍機の布押さえにおいて、布押さえ体を、ベース部材下端からベース部材と連続する形状で下方に延設して構成した。
【００２４】
（３）請求項３に記載の考案は、請求項１に記載の帽子用刺繍機の布押さえにおいて、布押さえ体を、当接部の延設される方向の側面から下方に延設され、次いで当接部の延設される逆方向にベース部材方向に向かって屈曲され、更に下方に延設して構成した。
【考案の効果】
【００２５】
上記のように構成される本考案が、如何に作用して課題を解決するかを図面を参照しながら概説する。
【００２６】
図５は請求項１記載の布押さえ１００の斜視図であり、図６は布押さえ１００をミシンヘッド５０に装着して刺繍を行なっている状態を示す説明図である。布押さえ体１０３が当接部１０２の延設される方向に対して直行する方向の側面から下方に伸びていることから、ミシンヘッド５０に装着した際に、布押さえ体１０３が従来例のように保持リング３２側に位置することがなく、すなわち、保持リング３２との接触を可及的に抑制可能となる。これにより、帽子１０のつば近傍まで刺繍が可能となり、刺繍不能の範囲は保持リング３２の幅を少し超える程度、図中Ｂの幅、概ね８ｍｍ程度程度に過ぎなくなる。
【００２７】
図７は請求項２記載の布押さえ２００の斜視図であり、図８は布押さえ２００をミシンヘッド５０に装着して刺繍を行なっている状態を示す説明図である。布押さえ体２０３がベース部材２０１下端からベース部材と連続する形状で下方に延設されていることから、ミシンヘッド５０に装着した際に、布押さえ体２０３が従来例のように保持リング３２側に位置することがなく、すなわち、保持リング３２との接触を可及的に抑制可能となる。これにより、帽子１０のつば近傍まで刺繍が可能となり、刺繍不能の範囲は保持リング３２の幅を少し超える程度、図中Ｃの幅、概ね８ｍｍ程度に過ぎなくなる。
【００２８】
図９ａは請求項３記載の布押さえ３００の斜視図であり、図９ｂは請求項３記載の布押さえ３００の側面図であり、図１０は布押さえ３００をミシンヘッド５０に装着して刺繍を行なっている状態を示す説明図である。布押さえ体３０３が当接部３０２の延設される方向の側面から下方に延設され、次いで当接部３０２の延設される逆方向にベース部材３０１方向に向かって屈曲され、更に下方に延設されていることから、ミシンヘッド５０に装着した際に、布押さえ体３０３が従来例のように保持リング３２側に位置することがなく、すなわち、保持リング３２との接触を可及的に抑制可能となる。これにより、帽子１０のつば近傍まで刺繍が可能となり、刺繍不能の範囲は保持リング３２の幅を少し超える程度、図中Ｄの幅、概ね８ｍｍ程度に過ぎなくなる。
【００２９】
かように、本考案によれば帽子のつば近傍にまで刺繍を施すことを可能とする帽子用刺繍機の布押さえを提供することが可能となるのである。
【図面の簡単な説明】
【００３０】
【図１】帽子を帽子枠に装着し刺繍機に装着する状態を示す説明図
【図２】従来例の実施状態を示す説明図
【図３】帽子及び帽子枠の説明図
【図４】ミシンヘッドの側面図
【図５】請求項１記載の考案の斜視図
【図６】請求項１記載の考案の実施状態を示す説明図
【図７】請求項２記載の考案の斜視図
【図８】請求項２記載の考案の実施状態を示す説明図
【図９】ａ  請求項３記載の考案の斜視図              ｂ  請求項３記載の考案の側面図
【図１０】請求項３記載の考案の実施状態を示す説明図
【図１１】従来の布押さえの斜視図
【考案を実施するための形態】
【００３１】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００３２】
請求項１記載の布押さえ１００について詳細に説明する。図５に示すように、布押さえ１００は、布押さえ抱き６４に固定されるベース部材（上部構造体）１０１と、ベース部材１０１の下端に連結された当接部１０２、及び当接部１０２に連結された布押さえ体（下部構造体）１０３とで構成されている。
【００３３】
ベース部材１０１は、上下に延びる細長い薄板状に形成されており、その上端部には、該ベース部材１０１を布押さえ抱き６４に固定するためのネジを挿通する貫通孔からなる固定部１０１ａが形成されている。固定部１０１ａは、上下に延びる細長い長穴として形成されている。これにより、布押さえ抱き６４に対する布押さえ１００の固定位置を上下に調節できるようになっている。
【００３４】
ベース部材１０１の下端において、ベース部材１０１に対して略直角方向に延設される形状で当接部１０２が設けられている。当接部１０２には、針棒６０を挿通させる貫通孔からなる挿通部１０２ａが形成されている。
【００３５】
布押さえ体１０３は、当接部１０２の延設される方向に対して直行する方向の側面から下方に伸びる形状で設けられている。布押さえ体１０３は図５ａに示すように当接部１０２の左側面から下方に設けても良いし、図５ｂに示すように当接部１０２の右側面から下方に設けても良い。
【００３６】
布押さえ体１０３の下端部は略直角に屈曲しており、水平面状に形成されている。この水平面状に屈曲された部位には、その中央に縫針５３を通すための針通し孔１０３ａが設けられている。但し、布押さえ体１０３の下端の形状は係る形状に限定を受けるものではなく、刺繍対象である帽子の前面を押さえることが可能であれば、任意の形状を採用できる。
【００３７】
請求項２記載の布押さえ２００について詳細に説明する。図７に示すように、布押さえ２００は、布押さえ抱き６４に固定されるベース部材（上部構造体）２０１と、ベース部材２０１の下端から略直角方向に延設されたと右当接部２０２及びベース部材２０１の下端に連結された布押さえ体（下部構造体）２０３とで構成されている。
【００３８】
ベース部材２０１は、上下に延びる細長い薄板状に形成されており、その上端部には、該ベース部材２０１を布押さえ抱き６４に固定するためのネジを挿通する貫通孔からなる固定部２０１ａが形成されている。固定部２０１ａは、上下に延びる細長い長穴として形成されている。これにより、布押さえ抱き６４に対する布押さえ２００の固定位置を上下に調節できるようになっている。
【００３９】
ベース部材２０１の下端において、ベース部材２０１に対して略直角方向に延設される形状で当接部２０２が設けられている。当接部２０２には、針棒６０を挿通させる貫通孔からなる挿通部２０２ａが形成されている。
【００４０】
布押さえ体２０３は、ベース部材２０１の下端に直線状に連結されて設けられるものである。
【００４１】
布押さえ体２０３の下端部は二股にわかれた形状に形成されている。但し、布押さえ体２０３の下端の形状は係る形状に限定を受けるものではなく、刺繍対象である帽子の前面を押さえることが可能であれば、任意の形状を採用できる。
【００４２】
請求項３記載の布押さえ３００について詳細に説明する。図９に示すように、布押さえ３００は、布押さえ抱き６４に固定されるベース部材（上部構造体）３０１と、ベース部材３０１の下端に連結された当接部３０２、及び当接部３０２に連結された布押さえ体（下部構造体）３０３とで構成されている。
【００４３】
ベース部材３０１は、上下に延びる細長い薄板状に形成されており、その上端部には、該ベース部材３０１を布押さえ抱き６４に固定するためのネジを挿通する貫通孔からなる固定部３０１ａが形成されている。固定部３０１ａは、上下に延びる細長い長穴として形成されている。これにより、布押さえ抱き６４に対する布押さえ３００の固定位置を上下に調節できるようになっている。
【００４４】
ベース部材３０１の下端において、ベース部材３０１に対して略直角方向に延設される形状で当接部３０２が設けられている。当接部３０２には、針棒６０を挿通させる貫通孔からなる挿通部３０２ａが形成されている。
【００４５】
布押さえ体３０３は、当接部３０２の延設される方向の側面から下方に延設され（３０３ａ）、次いで当接部３０２の延設される逆方向にベース部材３０１方向に向かって屈曲され（３０３ｂ）、更に下方に延設して形成してある（３０３ｃ）。
【００４６】
布押さえ体３０３の下端部は二股にわかれた形状に形成されている。但し、布押さえ体３０３の下端の形状は係る形状に限定を受けるものではなく、刺繍対象である帽子の前面を押さえることが可能であれば、任意の形状を採用できる。
【符号の説明】
【００４７】
１００・・布押さえ      １０１‥ベース部材      １０１ａ・・固定部
１０２‥当接部          １０２ａ・・挿通部      １０３‥布押さえ体
１０３ａ・・針通し孔    ２００・・布押さえ      ２０１‥ベース部材
２０１ａ・・固定部      ２０２‥当接部          ２０２ａ・・挿通部
２０３‥布押さえ体      ３００・・布押さえ      ３０１‥ベース部材
３０１ａ・・固定部      ３０２‥当接部          ３０２ａ・・挿通部
３０３‥布押さえ体
【図１】
0003183740.tif 000003
【図２】
0003183740.tif 000004
【図３】
0003183740.tif 000005
【図４】
0003183740.tif 000006
【図５】
0003183740.tif 000007
【図６】
0003183740.tif 000008
【図７】
0003183740.tif 000009
【図８】
0003183740.tif 000010
【図９】
0003183740.tif 000011
【図１０】
0003183740.tif 000012
【図１１】
0003183740.tif 000013